(57)【要約】      （修正有）【課題】景品等の販促グッズが安定して収納でき、販促グッズをキャップ内に封入するための内蓋が容易に取り外せ、運搬やディスプレイ時の荷重に耐えられる飲料缶用の販促グッズ収納キャップを提供する。【解決手段】キャップ１の側壁４の下部内周縁には複数の突起部２が設けられており、飲料缶の上部外周縁に設けられた周リブと嵌合して、キャップ１が飲料缶の上部に脱着可能に取り付けられるようになっており、キャップ１の側壁４の内面にはその上部から突起部２よりも少し高い位置まで垂下する２本１組からなる複数組の垂直リブ３が突設されている。【選択図】図１
0003165337.tif 000002
【実用新案登録請求の範囲】
【請求項１】
上部の外周縁に周リブを有する飲料缶に取り付けることができ、内部に景品等の販促グッズを収納できる飲料缶用の販促グッズ収納キャップであり、側壁下部の内周縁には前記飲料缶の前記周リブと嵌合する複数の突起部が設けられており、側壁の内面には上部から前記突起部より高い位置まで垂下する２本１組からなる複数組の垂直リブが突設されていることを特徴とする飲料缶用の販促グッズ収納キャップ。
【請求項２】
上部の外周縁に周リブを有する飲料缶に取り付けることができ、内部に景品等の販促グッズを収納できる飲料缶用の販促グッズ収納キャップであり、側壁下部の内周縁には前記飲料缶の前記周リブと嵌合する複数の突起部が設けられており、側壁の内面には上部から前記突起部より高い位置まで垂下する２本１組からなる複数組の垂直リブが突設されていることに加え、隣接する２本１組からなる垂直リブの間には該垂直リブの下端と同じ高さに位置する水平リブが設けられていることを特徴とする飲料缶用の販促グッズ収納キャップ。
【請求項３】
前記複数の突起部と前記２本１組からなる複数組の垂直リブは、常にその数が異なるように設けられていることを特徴とする請求項１又は請求項２に記載の飲料缶用の販促グッズ収納キャップ。
【考案の詳細な説明】
【技術分野】
【０００１】
本考案は、飲料缶の上部に取り付けて利用に供せられる飲料缶用の販促グッズ収納キャップである。
【背景技術】
【０００２】
昨今、コーヒーや紅茶、シューズなどの飲料の販売を促進するため、飲料缶の販売に際して景品等を提供することが広く行われている。従来は、飲料缶の購入者に別途、景品等の販促グッズを手渡す方法であったが、人手が掛かるほか、販促グッズが不足してクレームが生ずるなど、様々の問題点があった。そこで最近では、飲料缶の上部に脱着可能なキャップを取り付けておき、その内部に景品等の販促グッズを収納できるようにすることで、キャンペーン対象の飲料缶の購入者が漏れなく販促グッズを入手できるようにすることで、前記問題が解消されるようになった。
【０００３】
しかしながら、景品等の販促グッズは種類によって大きさが異なるため、販促グッズをキャップ内に安定的に収納でき、且つ、キャップ内に販促グッズを封入する内蓋を折損することなく容易に取り付け・取り外しできるようにする必要があるところ、これまでのタイプでは係止部を周方向に設けたものや（特許文献１）、垂下する縦リブが１本であるため（特許文献２）、販促グッズがキャップ内で遊んでしまい、安定的に収納できないとか、内蓋が取り付け・取り外しの際に折損してしまい、容易に脱着することが困難であるという欠点があった。
【０００４】
また、運搬やディスプレイに際して、キャップ内に景品等の販促グッズを収納した状態で、キャップ上に飲料缶を何重にも重ねることがあるが、その際にキャップに掛かる荷重は数キログラムに及ぶことになる。しかしながら、係止部を周方向にだけ設けたものや（特許文献１）、垂下する縦リブが１本だけのもの（特許文献２）では、上下方向や左右方向への耐圧力が低いため、キャップが押し潰されたり変形してしまい、販促グッズの破損まで伴うことがあった。
【先行技術文献】
【特許文献】
【０００５】
【特許文献１】特許第４２７９５７８号公報
【特許文献２】実用新案登録第３１５３５９８号公報
【考案の概要】
【考案が解決しようとする課題】
【０００６】
これまで実施されている飲料缶用の販促グッズ収納キャップでは、景品等の販促グッズが安定して収納できないとか、販促グッズをキャップ内に封入するための内蓋の取り付け・取り外しが容易でないとか、運搬やディスプレイ時の荷重に耐えられないといった問題点があったが、本考案ではこれら問題点を解決し、景品等の販促グッズの収納が安定的に行えると同時に、販促グッズを封入する内蓋の脱着が容易且つ確実に行え、しかも、荷重に耐えられる十分な耐圧力を有する構造の飲料缶用の販促グッズ収納キャップの提供を課題とする。
【課題を解決するための手段】
【０００７】
本考案は、如上の課題を解決するため、上部の外周縁に周リブを有する飲料缶に取り付けることができ、内部に景品等の販促グッズを収納できる飲料缶用の販促グッズ収納キャップであり、側壁下部の内周縁には前記飲料缶の前記周リブと嵌合する複数の突起部が設けられており、側壁の内面には上部から前記突起部よりも高い位置まで垂下する２本１組からなる複数組の垂直リブが突設されていることを特徴とする飲料缶用の販促グッズ収納キャップ（請求項１）を提案する。
【０００８】
本考案ではまた、如上の課題を解決するため、上部の外周縁に周リブを有する飲料缶に取り付けることができ、内部に景品等の販促グッズを収納できる飲料缶用の販促グッズ収納キャップであり、側壁下部の内周縁には前記飲料缶の前記周リブと嵌合する複数の突起部が設けられており、側壁の内面には上部から前記突起部より高い位置まで垂下する２本１組からなる複数組の垂直リブが突設されていることに加え、隣接する２本１組からなる垂直リブの間には該垂直リブの下端と同じ高さに位置する水平リブが設けられていることを特徴とする飲料缶用の販促グッズ収納キャップ（請求項２）を提案する。
【０００９】
本考案では更に、上記課題の解決手段として、請求項１又は請求項２に記載の考案であって、前記複数の突起部と前記２本１組からなる複数組の垂直リブは、常にその数が異なるように設けられていることを特徴とする飲料缶用の販促グッズ収納キャップ（請求項３）を提案する。
【考案の効果】
【００１０】
請求項１に係る本考案では、キャップ側壁内面の上部から垂下する垂直リブを２本１組とし、これを複数組も受けたことで、キャップ内に収納された景品等の販促グッズの遊びがなくなるため、安定的に収納することができるようになった。
【００１１】
また、２本１組の垂直リブを複数設けたことで、景品等の販促グッズをキャップ内に封入する内蓋との接触点が増えて、内蓋の支持が確実に行えるため、キャップの内部方向に折損してしまうリスクが低減され、販促グッズの破損や落下のリスクをより低くすることが可能となった。
【００１２】
加えて、垂直リブを２本１組としたことで、上下方向の耐圧力が増したため、運搬やディスプレイに際してキャップ付き飲料缶を何重に積み重ねても、その荷重に耐えることが可能となった。そのため、キャップが押し潰れたり破損するなどの事態を防止でき、それによってキャップ内の販促グッズを破損等から守ることができる。
【００１３】
請求項２に係る本考案では、前記した２本１組の垂直リブに加え、隣接する垂直リブの間に水平リブを設けたことで、内蓋の支持がより確実に行えるようになるため、その内部方向への折損リスクを一層低減することができるほか、左右方向の荷重に対する耐圧力を増すことができた。
【００１４】
請求項３に係る本考案では、飲料缶の周リブに嵌合する複数の突起部と、２本１組からなる複数組の垂直リブとを、その数を異ならして設けたことで、景品等の販促グッズを封入する内蓋の取り外しが容易に行えるようになった。
【図面の簡単な説明】
【００１５】
【図１】本考案の実施形態を示す斜視図である。
【図２】図１の実施形態を示す概略縦断面図である。
【図３】図１の実施形態を示す底面図である。
【図４】図１の実施形態と内蓋との関係を示す斜視図である。
【図５】本考案の別の実施形態を示す概略縦断面図である。
【考案を実施するための最良の形態】
【００１６】
以下、本考案の望ましい実施形態を、図面に基づいて説明する。
【実施例１】
【００１７】
図１乃至図４は、本考案に係る飲料缶用の販促グッズ収納キャップの一実施形態に関するものであり、図示しない飲料缶の上部に脱着可能に取り付けて利用される。１はキャップ、２は突起部、３は垂直リブ、４は側壁、５は内蓋、ａは垂直リブの下端である。
【００１８】
この実施例では、図１乃至図３に示すように、キャップ１の側壁４の下部内周縁には複数の突起部２が設けられており、図示しない飲料缶の上部外周縁に設けられた周リブと嵌合して、キャップ１が飲料缶の上部に脱着可能に取り付けられるようになっている。また、キャップ１の側壁４の内面にはその上部から突起部２よりも少し高い位置まで垂下する２本１組からなる複数組の垂直リブ３が突設されており、図２では垂直リブ３が側壁４の内面の最上部から延出しているが、必ずしも最上部であることを要しない。
【００１９】
この実施例が最も特徴とするところは、２本１組の垂直リブ３を複数組設けた構成となっている点であり、この構成としたことで３つの作用・効果が得られた点にある。まず１つは、側壁４の内面に多くの垂直リブ３が形成されたことで、キャップ１内に景品等の販促グッズを収納した際に、前記垂直リブ３と該販促グッズとの接触部が増すため、キャップ１内での販促グッズの遊びが抑制され、安定的に収納できるようになった点である。
【００２０】
もう１つは、キャップ１内に販促グッズを封入するための内蓋の破損を抑止できる点である。キャップ１内に景品等の販促グッズを収納して飲料缶に取り付けるときは、図４に示すように、販促グッズを封入するための内蓋５をキャップ１の内部に嵌め込むが、その際に内蓋５と２本１組である複数組の垂直リブ３の下端ａとが当接し、多くの支点でこれを支えるため、嵌め込む時に余分な力が加わった場合でも、内蓋５を折損することなく装着することが可能である。垂直リブが１本だけの従来タイプでは、内蓋５を嵌め込む際に余分な力が加わると、支点が少なく、しかも、支点の間隔が広いため、内蓋５の一部が内部方向に折損してしまうことがあったが、本考案ではこのリスクを大幅に低減することができた。
【００２１】
最後の特徴の１つは、側壁４の内面に多くの垂直リブ３が形成されたことで、上下方向の荷重への耐圧力が著しく増した点である。景品等の販促グッズを収納したキャップ付きの飲料缶は、キャップ１上に何重にも積み重ねて運搬されたり、ディスプレイに供されることになり、下に配置されたキャップ付き飲料缶の荷重は数キログラムに及ぶこともある。そのため、何ら補強を行っていないキャップの場合は、荷重に耐え切れず、押し潰されたり変形するなど破損してしまうリスクがあり、特にディスプレイ時に荷崩れを起こした場合は怪我をする虞もあって、非常に危険であった。この点、本考案では２本１組の垂直リブ３が複数組設けられており、それが補強材としても機能するため、荷重に対する十分な耐圧性を備えることができた。
【実施例２】
【００２２】
図５は、本考案に係る飲料缶用の販促グッズ収納キャップの別の実施形態に関するものである。１はキャップ、２は突起部、３は垂直リブ、４は側壁、６は水平リブ、ａは垂直リブの下端である。
【００２３】
この実施例では、図５に示すように、キャップ１の側壁４の内面に前記した複数の突起部２と２本１組からなる複数組の垂直リブ３とを備える点で図１乃至図４に示すキャップと共通しているが、これに加えて、隣接する２本１組の垂直リブ３の間に、該垂直リブ３と同じ高さとなるよう水平リブ６を設けた点で相違している。
【００２４】
この実施例が特徴とするところは、内蓋５をキャップ１内に嵌め込む際に、内蓋５が前記垂直リブ３の下端ａによって支持されるだけでなく、水平リブ６によっても支持されるため、その折損や破損のリスクが更に低減できる点にある。
【００２５】
また、前記垂直リブ３では上下方向の荷重への耐圧力が増したが、水平リブ６を設けたことで、水平リブ６が補強材としても機能するため、左右方向の荷重に対する耐圧力も増すことができる。そのため、キャップ付き飲料缶の運搬やディスプレイが、縦に飲料缶を積み重ねる場合のみならず、飲料缶を横に寝かせて積み重ねる場合でも、十分に荷重に耐えられるため、キャップ１の破損による販促グッズの損傷等を回避することが可能である。
【実施例３】
【００２６】
この実施例は、キャップ１の側壁４内面に設けられる複数の突起部２と２本１組からなる複数組の垂直リブ３の数とを、常にその数が異なるように設けたものである。図１及び図３では、突起部２が６個であるのに対して、２本１組からなる垂直リブ３の数は５個であり、突起部２と垂直リブ３の位置が常に等間隔にはならない。
【００２７】
この実施例が特徴とするところは、如上の構成とすることで、購入者がキャップ１内から景品等の販促グッズを取り出し易くした点にある。つまり、内蓋５は突起部２と垂直リブ３との間に挟まれる形でキャップ１内に嵌め込まれることになるが、仮に、突起部２と垂直リブ３を同数とし、且つ、両者を同じ位置に設けたとすると、突起部２と垂直リブ３の間隔が著しく狭くなり、内蓋５の遊びが殆ど無くなることになる。そのため、購入者がキャップ１から内部の販促グッズを取り出すために内蓋５を取り外そうとしても、遊びがないため、なかなか内蓋５を取り外せないとの事態を生ずることになる。そこで本考案では、複数の突起部２と２本１組からなる複数組の垂直リブ３とが全て同位置となることがないよう、常に両者の数を異ならしめて設けるようにしたものである。
【産業上の利用可能性】
【００２８】
本考案に係る飲料缶用の販促グッズ収納キャップは、径の一致する周リブを有する缶であれば内容物に拘らず取り付けることができるため、コーヒーや紅茶、ジュースなどを提供する飲料分野はもちろんのこと、缶詰めにする食肉分野や、オイル缶やスプレー缶を提供する分野でも利用することができる。
【符号の説明】
【００２９】
１    キャップ
２    突起部
３    垂直リブ
４    水平リブ
５    内蓋
６    水平リブ
ａ    垂直リブの下端
【図１】
0003165337.tif 000003
【図２】
0003165337.tif 000004
【図３】
0003165337.tif 000005
【図４】
0003165337.tif 000006
【図５】
0003165337.tif 000007